(57)【要約】  駐車支援装置は、移動体の周囲を上方から見た周囲画像を生成する周囲画像生成回路（１０１）と、周囲画像における空き駐車スペースの位置に、空き駐車スペースであることを示す支援画像を表示する画像表示回路（１０２）と、移動体が旋回中か否かを判定する旋回判定回路（１０６）と、を備える。画像表示回路（１０２）は、旋回判定回路（１０６）によって移動体が旋回中であると判定された場合、支援画像の表示を禁止する。
2019008760.tif 000002
【特許請求の範囲】
【請求項１】
移動体の周囲において所定条件を満たす空き駐車スペースを探索し、前記移動体を含む領域を上方から見た周囲画像における前記空き駐車スペースの位置に、前記空き駐車スペースであることを示す第１支援画像を表示する駐車支援装置の駐車支援方法において、
前記移動体が旋回中であるか否か判定し、
前記移動体が旋回中であると判定した場合、前記第１支援画像の表示を禁止する
ことを特徴とする駐車支援方法。
【請求項２】
前記移動体が旋回中から直進中に切り替わった場合、前記空き駐車スペースの位置に、前記第１支援画像の表示する
ことを特徴とする請求項１に記載の駐車支援方法。
【請求項３】
前記移動体が旋回中から直進中に切り替わった場合、切り替わり直後における前記移動体の後方に存在する前記空き駐車スペースに対し、前記第１支援画像の表示を禁止する
ことを特徴とする請求項１または２に記載の駐車支援方法。
【請求項４】
前記移動体の旋回角度を検出し、
前記移動体の旋回角度が所定値以上になった場合に、前記第１支援画像の表示を禁止する
ことを特徴とする請求項１〜３のいずれか１項に記載の駐車支援方法。
【請求項５】
前記移動体の旋回角度および、前記移動体の速度を検出し、
前記移動体の旋回角度が所定値以上、且つ前記移動体の速度が第２所定値以上の場合に、前記第１支援画像の表示を禁止する
ことを特徴とする請求項１〜４のいずれか１項に記載の駐車支援方法。
【請求項６】
前記移動体が旋回中に、前記空き駐車スペースを検出した場合、前記周囲画像における前記空き駐車スペースの位置とは異なる一定の位置に、前記空き駐車スペースを検出したことを示す第２支援画像を表示する
ことを特徴とする請求項１〜５のいずれか１項に記載の駐車支援方法。
【請求項７】
前記第２支援画像を表示している時に、前記移動体が直進中となった場合、前記第２支援画像を消去する
ことを特徴とする請求項６に記載の駐車支援方法。
【請求項８】
移動体の周囲において所定条件を満たす空き駐車スペースを探索するために、前記移動体が駐車場内を走行している場合において、前記移動体を含む領域を上方から見た周囲画像における前記空き駐車スペースの位置に、前記空き駐車スペースであることを示す第１支援画像を表示する駐車支援装置の駐車支援方法において、
前記移動体が旋回中であるか否か判定し、
前記移動体が旋回中であると判定した場合、前記第１支援画像の表示を禁止する
ことを特徴とする駐車支援方法。
【請求項９】
移動体の周囲を上方から見た周囲画像を生成する周囲画像生成回路と、
前記周囲画像における空き駐車スペースの位置に、前記空き駐車スペースであることを示す第１支援画像を表示する画像表示回路と、
前記移動体が旋回中か否かを判定する旋回判定回路と、を備え、
前記画像表示回路は、前記旋回判定回路によって前記移動体が旋回中であると判定された場合、前記第１支援画像の表示を禁止する
ことを特徴とする駐車支援装置。
【発明の詳細な説明】
【技術分野】
【０００１】
本発明は、駐車支援方法及び駐車支援装置に関する。
【背景技術】
【０００２】
従来より、乗員の駐車を支援する発明が知られている（特許文献１）。特許文献１に記載された発明は、走行中に空き駐車スペースを探索し、空き駐車スペースを検出した場合、空き駐車スペースを示す画像をディスプレイに表示する。
【先行技術文献】
【特許文献】
【０００３】
【特許文献１】特開２００８ー９６３６２号公報
【発明の概要】
【発明が解決しようとする課題】
【０００４】
しかしながら、自車両が旋回中において、自車両の周囲における空き駐車スペースの状態を誤検出してしまい、自車両の乗員に対して、誤った情報を与えてしまうおそれがある。特許文献１に記載された発明は、この点について何ら考慮していない。【０００５】
本発明は、上記問題に鑑みて成されたものであり、その目的は、誤った情報を乗員に与えることを抑制することができる駐車支援方法及び駐車支援装置を提供することである。
【課題を解決するための手段】
【０００６】
本発明の一態様に係る駐車支援方法は、移動体を含む領域を上方から見た周囲画像における空き駐車スペースの位置に、空き駐車スペースであることを示す支援画像を表示する。駐車支援方法は、移動体が旋回中であるか否か判定し、移動体が旋回中であると判定した場合、支援画像の表示を禁止する。
【発明の効果】
【０００７】
本発明によれば、誤った情報を乗員に与えることを抑制することができる。
【図面の簡単な説明】
【０００８】
【図１】図１は、本発明の実施形態に係る駐車支援装置の全体構成図である。
【図２】図２は、本発明の実施形態に係る駐車支援装置の一部の構成図である。
【図３】図３は、本発明の実施形態に係る駐車支援装置の動作例を説明するための走行シーンである。
【図４】図４は、本発明の実施形態に係る駐車支援装置の動作例を説明する図である。
【図５】図５は、本発明の実施形態に係る駐車支援装置の他の動作例を説明するための走行シーンである。
【図６】図６は、本発明の実施形態に係る駐車支援装置の他の動作例を説明する図である。
【図７】図７は、本発明の実施形態に係る駐車支援装置のさらに他の動作例を説明するための走行シーンである。
【図８Ａ】図８Ａは、本発明の実施形態に係る駐車支援装置の一動作例を説明するフローチャートである。
【図８Ｂ】図８Ｂは、本発明の実施形態に係る駐車支援装置の一動作例を説明するフローチャートである。
【図９】図９は、本発明の実施形態に係る駐車支援装置のさらに他の動作例を説明する図である。
【発明を実施するための形態】
【０００９】
以下、本発明の実施形態について、図面を参照して説明する。図面の記載において同一部分には同一符号を付して説明を省略する。本実施形態に係る駐車支援装置は、自動運転と手動運転とを切り替えることが可能な車両に適用されるが、これに限定されない。本実施形態に係る駐車支援装置は、様々な移動体に適用可能であり、例えば、工業用車両（例えば、トラック）、飛行機、飛行体、水中移動体（例えば、海底探査機、潜水艦）、倒立振り子型機械、お掃除ロボットなどにも適用可能である。なお、本実施形態における自動運転とは、例えば、ブレーキ、アクセル、ステアリングなどのアクチュエータの内、少なくとも一つのアクチュエータを運転者の操作なしに制御している状態のことを指す。そのため、少なくとも一つのアクチュエータが制御されている状態であれば、その他のアクチュエータが運転者の操作により作動していたとしても構わない。また、本実施形態における手動運転とは、例えば、ブレーキ、アクセル、ステアリングなど走行のために必要な操作を運転者が操作している状態のことを指す。
【００１０】
（駐車支援装置の構成）
図１を参照して、本実施形態に係る駐車支援装置の構成を説明する。駐車支援装置は、コントローラ１と、カメラ２ａ〜２ｄと、舵角センサ３と、ハンドル角センサ４と、車輪速センサ６と、空間認識センサ７と、入力インターフェース８と、表示部９と、車両制御ＥＣＵ１０と、アクチュエータ１１とを備える。
【００１１】
カメラ２ａ〜２ｄは、ＣＣＤ（ｃｈａｒｇｅ−ｃｏｕｐｌｅｄ  ｄｅｖｉｃｅ）やＣＭＯＳ（ｃｏｍｐｌｅｍｅｎｔａｒｙ  ｍｅｔａｌ  ｏｘｉｄｅ  ｓｅｍｉｃｏｎｄｕｃｔｏｒ）などの撮像素子を有し、自車両の周囲を撮像する。カメラ２ａは、自車両の前方に搭載され、自車両の前方を撮像する。カメラ２ｂは、自車両の後方に搭載され、自車両の後方を撮像する。カメラ２ｃは、自車両の左側に搭載され、自車両の左側を撮像する。カメラ２ｄは、自車両の右側に搭載され、自車両の右側を撮像する。各カメラは、自車両のルーフより下方に設置される。
【００１２】
各カメラは、自車両のルーフより下方に設置されるため、実際に自車両の情報から撮像した画像を表示することは困難である。また、自車両のタイヤがタイヤハウス内に格納されているため、自車両のタイヤの外円面（タイヤを円柱とした場合の側面）を撮像することは困難である。すなわち、自車両及び自車両のタイヤを撮像が難しいため、実際の自車両及びタイヤの画像を得ることが難しい。そこで、実際の自車両の画像の代わりに後述の自車両アイコン（自車両を模した画像）を使用する。
【００１３】
舵角センサ３は、自車両が空き駐車スペースに駐車する際に（もしくは、駐車するまでの間）、自車両の舵角を検出する。舵角センサ３は、自車両の舵角を検出する場合、自車両のタイヤの向きを直接検出してもよく、自車両のステアリングの角度から舵角を検出するようにしてもよい。舵角センサ３は、検出した舵角をコントローラ１に出力する。なお、舵角を検出するタイミングは、駐車するまでの間、必ずしもずっと検出する必要はなく、予め設定したタイミングで算出されればよい。
【００１４】
ハンドル角センサ４は、自車両のハンドル角（ステアリングの角度）を検出し、検出したハンドル角をコントローラ１に出力する。車輪速センサ６は、自車両の速度を検出し、検出した速度をコントローラ１に出力する。
【００１５】
空間認識センサ７は、自車両の周囲に存在する物体を検出するためのセンサであり、例えば、レーザレンジファインダである。レーザレンジファインダは、対象物に向けて赤外線レーザを照射し、その反射光の強度により対象物までの距離を測定する。レーザレンジファインダは、測定した距離をポイントクラウド情報として取得し、ポイントクラウド情報をセンサ情報処理部１０４に出力する。自車両の周囲に存在する物体とは、他車両、バイク、自転車、歩行者を含む移動物体、及び駐車車両を含む静止物体である。なお、空間認識センサ７は、レーザレンジファインダに限定されない。空間認識センサ７は、対象物までの距離、対象物の有無を検出できればよく、例えば、超音波を利用するクリアランスソナーでもよく、単眼カメラでもよく、一対のカメラを有するステレオカメラでもよい。
【００１６】
入力インターフェース８は、自車両の乗員による入力を受け付ける装置である。入力インターフェース８は、例えば、表示部９に設けられるタッチパネルである。なお、入力インターフェース８は、ジョイスティックや操作スイッチでもよく、音声入力装置でもよい。
【００１７】
コントローラ１は、各種センサから取得したデータを処理する回路であり、例えばＣＰＵ（中央処理装置）、メモリ、及び入出力部を備える汎用のマイクロコンピュータである。マイクロコンピュータをコントローラ１として機能させるためのコンピュータプログラムを、マイクロコンピュータにインストールして実行する。これにより、マイクロコンピュータは、コントローラ１として機能する。なお、ここでは、ソフトウェアによってコントローラ１を実現する例を示すが、もちろん、以下に示す各情報処理を実行するための専用のハードウェアを用意して、コントローラ１を構成することも可能である。コントローラ１は、複数の情報処理回路として、周辺画像生成部１０１と、画像表示回路１０２と、アイコン記憶部１０３と、センサ情報処理部１０４と、駐車支援演算部１０５と、旋回判定部１０６と、を備える。また、画像表示回路１０２は、支援画像生成部１０２１と、表示切替制御部１０２２と、画像合成部１０２３と、を備える。
【００１８】
周辺画像生成部１０１（周囲画像生成回路）は、４台のカメラ２ａ〜２ｄで撮像された自車両の周囲の画像に基づき、予め定めた仮想視点、投影面を設定し、自車両の上方から下方（車両の方向）を見たように画像（俯瞰画像）を生成する。俯瞰画像の生成方法は既知の技術であるので、詳細な説明を省略する。なお、本実施形態においては、必ずしも俯瞰画像である必要はなく、鳥瞰画像など、自車両の周囲を表示する画像（周囲画像）であればよい。なお、周辺画像生成部１０１は、自車両の外、駐車場に設けられたカメラ、他車両のカメラ、で撮像された画像を無線通信により受け取って、俯瞰画像（周囲画像）を生成するようにしてもよい。なお、本実施形態においては、自車両の上部から撮像された画像を用いることにより、必ずしも自車両を模した画像（車両アイコン）を用いる必要はない。
【００１９】
センサ情報処理部１０４は、空間認識センサ７から取得した情報を用いて、自車両が走行する走路を推定する。また、センサ情報処理部１０４は、推定した走路の近傍に存在する駐車領域（駐車枠）を推定する。センサ情報処理部１０４は、推定した走路や駐車枠に基づいて自車両が走行可能な範囲を推定する。また、センサ情報処理部１０４は、路面の白線を用いて駐車枠を検出してもよい。
【００２０】
旋回判定部１０６（旋回判定回路）は、ハンドル角センサ４から取得したハンドル角を用いて、自車両が旋回しているか否かを判定する。旋回判定部１０６は、判定結果を表示切替制御部１０２２に出力する。
【００２１】
支援画像生成部１０２１は、駐車を支援するための支援画像を生成する。なお、支援画像は、予めアイコン記憶部１０３に記憶されていてもよい。支援画像が、アイコン記憶部１０３に記憶されている場合、支援画像生成部１０２１は、支援画像をアイコン記憶部１０３から読み出せばよい。支援画像生成部１０２１は、生成した支援画像を表示切替制御部１０２２に出力する。
【００２２】
表示切替制御部１０２２は、旋回判定部１０６による判定結果に応じて、支援画像生成部１０２１から取得した支援画像を画像合成部１０２３に出力するか否かを切り替える。例えば、表示切替制御部１０２２は、ハンドル角が±１８０度以上である場合、支援画像を画像合成部１０２３に出力する。詳細は、後述する。
【００２３】
画像合成部１０２３は、周辺画像生成部１０１によって生成された俯瞰画像に対し、アイコン記憶部１０３から取得したアイコン（自車両を模した画像）を重畳して、合成画像を生成する。また、画像合成部１０２３は、表示切替制御部１０２２から支援画像を取得した場合、この支援画像を俯瞰画像に重畳する。画像合成部１０２３は、合成した画像を表示部９に出力する。
【００２４】
駐車支援演算部１０５は、入力インターフェース８に入力された情報と、センサ情報処理部１０４が得たデータと、舵角センサ３が検出する舵角と、車輪速センサ６が検出する速度とに基づいて、自車両の制御信号を算出する。駐車支援演算部１０５は、算出した制御信号を車両制御ＥＣＵ１０に出力する。
【００２５】
車両制御ＥＣＵ１０は、駐車支援演算部１０５から取得した制御信号などに基づいて、自車両の駆動・制動、操舵におけるアクチュエータ１１の駆動を自動制御する。
【００２６】
表示部９は、乗員に対し様々な情報を表示する装置であり、例えば、車室内に設けられるナビゲーション用のディスプレイである。
【００２７】
次に、図２を参照して、駐車支援演算部１０５の詳細について説明する。図２に示すように、駐車支援演算部１０５は、目標駐車枠設定部１０５１と、駐車開始位置設定部１０５２と、自己位置推定部１０５３と、駐車経路生成部１０５４と、駐車経路追従制御部１０５５と、目標速度生成部１０５６とを備える。
【００２８】
目標駐車枠設定部１０５１は、乗員が入力インターフェース８に入力した駐車位置を、目標駐車位置として設定する。目標駐車枠設定部１０５１は、設定した目標駐車位置を駐車開始位置設定部１０５２及び駐車経路生成部１０５４に出力する。
【００２９】
駐車開始位置設定部１０５２は、目標駐車位置に駐車するための適した駐車方式を決定し、決定した駐車方式に適した駐車開始位置を設定する。駐車方式とは、例えば縦列駐車や並列駐車などである。駐車開始位置設定部１０５２は、設定した駐車開始位置を駐車経路生成部１０５４に出力する。
【００３０】
自己位置推定部１０５３は、車輪速センサ６及び舵角センサ３の検出データ等に基づいて、自車両の現在位置を推定する。極低速、且つ前輪操舵車においては、後輪車軸中心の走行距離と前輪操舵角との関係に基づいて、自車両の位置、及び姿勢を推定するデッドレコニング手法を用いるのが一般的である。デッドレコニング手法は、駐車動作等の限られた区間の走行を考える場合において有用である。その他の例として、自己位置推定部１０５３は、空間認識センサ７で検出される検出データと自車両との相対位置関係、カメラ２ａ〜２ｄにより撮影される路面の白線や物体認識結果と自車両との相対位置関係、などにより自己位置を推定することも可能である。また、自己位置推定部１０５３は、位置検出センサを用いて、自車両の絶対位置、すなわち、所定の基準点に対する自車両の位置を推定してもよい。位置検出センサは、自車両に搭載され、ＧＰＳ（グローバル・ポジショニング・システム）やオドメトリなど自車両の絶対位置を計測する装置である。自己位置推定部１０５３は、推定した自己位置を駐車経路追従制御部１０５５に出力する。
【００３１】
駐車経路生成部１０５４は、駐車開始位置設定部１０５２によって設定された駐車開始位置から目標駐車位置までの駐車経路を生成する。駐車経路生成部１０５４は、例えば、乗員に違和感を与えないように、切り返し回数や操舵量がもっとも少なくなるような駐車経路を生成する。駐車経路生成部１０５４は、生成した駐車経路を駐車経路追従制御部１０５５及び目標速度生成部１０５６に出力する。
【００３２】
駐車経路追従制御部１０５５は、駐車経路生成部１０５４によって生成された駐車経路と、自己位置推定部１０５３によって推定された自己位置とに基づいて、駐車経路に沿って自動的な駐車制御を行うための制御信号を生成する。例えば、駐車経路追従制御部１０５５は、操舵角やシフト位置に関する制御信号を生成する。駐車経路追従制御部１０５５は、生成した制御信号を車両制御ＥＣＵ１０に出力する。
【００３３】
目標速度生成部１０５６は、駐車経路生成部１０５４によって生成された駐車経路に沿って自動的な駐車制御を行うための制御信号を生成する。例えば、目標速度生成部１０５６は、速度（アクセル量やブレーキ量）に関する制御信号を生成する。目標速度生成部１０５６は、生成した制御信号を車両制御ＥＣＵ１０に出力する。
【００３４】
車両制御ＥＣＵ１０は、駐車経路追従制御部１０５５と目標速度生成部１０５６とによって生成された制御信号に基づいてアクチュエータ１１を制御して、自動的な駐車制御を実現する。
【００３５】
（駐車支援装置の動作例）
次に、図３〜図４を参照して、駐車支援装置の一動作例を説明する。
【００３６】
図３に示すシーンは、自車両２２が駐車場内を走行している時、空き駐車スペース２３を探索するシーンである。図３に示す路面標示３０、３１、３２、３３は、路面に設けられた路面標示である。路面標示３０、３１、３３は、直進が可能であることを示す路面標示である。路面標示３２は、右折が可能であることを示す路面標示である。図３に示す他車両２１は、駐車車両である。なお、本実施形態における、自車両２２が駐車場内を走行している時とは、空き駐車スペースに隣接する道路を走行している時のことである。これに対して、空き駐車スペースに駐車している時は、駐車中であり、駐車場内を走行している時とは異なる。加えて、本実施形態における、自車両２２が駐車場内を走行している時に、空き駐車スペースの上を走行している時を含むようにしてもよい。駐車場内を走行している時、空き駐車スペースに隣接する道路が狭い場合、他車両と離合する場合等、空き駐車スペース上を走行する場合がある。
【００３７】
図３に示すシーンにおける、自車両２２を上方から見下ろした俯瞰画像２０を図４に示す。図４に示すように、センサ情報処理部１０４が、自車両２２の周囲において、空き駐車スペース２３を検出した場合、旋回判定部１０６は、自車両２２が旋回中か否かを判定する。例えば、旋回判定部１０６は、ハンドル角が±１８０度以上のとき、自車両２２は旋回中であると判定する。一方、旋回判定部１０６は、ハンドル角が±１８０度未満のとき、自車両２２は旋回中ではないと判定する。なお、本実施形態において、自車両２２が旋回中ではない場合、自車両２２は直進中である。
【００３８】
図４に示すように、旋回判定部１０６が、自車両２２は旋回中ではないと判定したとき、つまり、旋回判定部１０６が、自車両２２は直進中であると判定したとき、画像合成部１０２３は、支援画像２４、２５（第１支援画像）を空き駐車スペース２３に表示する。また、旋回判定部１０６が、自車両２２は旋回中から直進中に切り替わったと判定したとき、画像合成部１０２３は、支援画像２４、２５（第１支援画像）を空き駐車スペース２３に表示する。支援画像２４、２５は、駐車スペースが空き駐車スペースであることを示す画像である。さらに、支援画像２５は、駐車スペースが空き駐車スペースであり、かつ推奨駐車スペースを示す画像である。推奨駐車スペースとは、例えば、駐車しやすいスペースである。また、推奨駐車スペースは、駐車時間が短いスペースでもよく、駐車経路が短いスペースでもよい。また、推奨駐車スペースは、駐車経路が急でないスペースでもよく、後退駐車できるスペースでもよく、出庫しやすいスペースでもよい。支援画像２４は、駐車スペースが単に空いていることを示す画像である。
【００３９】
このように、自車両２２が直進中において、支援画像２４、２５が、空き駐車スペース２３に表示されることによって、乗員は、空き駐車スペース２３が空いていることを容易に把握することができる。これにより、乗員は、所望の空き駐車スペースに駐車するための行動を取ることが可能になる。例えば、本実施形態にように自動的な駐車制御が可能であれば、乗員が支援画像２５（推奨駐車スペース）をタッチすると、自動的に目標駐車位置までの駐車制御が行われる。
【００４０】
次に、図５〜図６を参照して、駐車支援装置の他の動作例を説明する。
【００４１】
図５に示すシーンは、図３に示すシーンから自車両２２が少し進んだシーンである。図５に示すシーンでは、自車両２２は右方向に旋回しており、ハンドル角は、時計回り方向に１８０度以上であるとする。
【００４２】
図５に示すシーンにおける俯瞰画像２０を図６に示す。図６に示すように、センサ情報処理部１０４が、自車両２２の周囲において、空き駐車スペース２３を検出した場合、旋回判定部１０６は、自車両２２が旋回中か否かを判定する。
【００４３】
図６に示すように、旋回判定部１０６が、自車両２２は旋回中であると判定したとき、画像合成部１０２３は、図４に示す支援画像２４や支援画像２５を俯瞰画像２０に表示しない。換言すれば、自車両２２が旋回中であるとき、画像合成部１０２３は、支援画像２４や支援画像２５を表示することを禁止する。理由は、自車両２２が旋回中であるとき、センサ情報処理部１０４は、空き駐車スペース２３の状態を誤検出するおそれがあるからである。空き駐車スペース２３の状態の誤検出とは、例えば、空き駐車スペース２３ではない空間を空き駐車スペースとして検出することである。自車両２２が旋回中であるとき、例えば、旋回の中心から遠くに位置するカメラの動きは、旋回の中心から近くに位置するカメラの動きと比較して、早くなる。これにより、旋回の中心から遠くに位置するカメラの精度が低下する場合がある。これにより、旋回の中心から遠くに位置するカメラは、空き駐車スペース２３の状態を誤検出する場合がある。また、自車両２２が旋回中であるとき、自車両２２に近い物体（駐車スペースを含む）ほど、画像上の動きが早くなり、画像を用いて物体を検出することが難しくなるため、センサ情報処理部１０４としてカメラを用いる場合は、空き駐車スペース２３の状態を誤検出するおそれがあるからである。また、センサ情報処理部１０４としてカメラを用いる場合、自車両２２に遠い物体ほど解像度が悪くなるため、自車両２２に遠い物体を検出することは難しく、さらには旋回中により画像上で動く自車両２２に遠い物体を検出することは難しい。そのため、自車両２２が旋回中であるとき、画像合成部１０２３は、支援画像２４や支援画像２５を表示することを禁止する。
【００４４】
また、旋回の中心から遠くに位置するカメラの精度が低下することにより、支援画像２４、２５を表示したときのずれが大きくなることも考えられる。画像合成部１０２３が、支援画像２４、２５を空き駐車スペース２３に表示するとき、まず画像合成部１０２３は、俯瞰画像２０の空き駐車スペース２３を認識する。次に、画像合成部１０２３は、認識した空き駐車スペース２３に支援画像２４、２５を表示する。画像合成部１０２３がこのような処理を行うときに、自車両２２が移動すると、画像合成部１０２３が認識した俯瞰画像２０の空き駐車スペース２３も移動してしまう。つまり、画像合成部１０２３が空き駐車スペース２３を認識し、認識した空き駐車スペース２３に支援画像２４、２５を表示しようとする次の瞬間には、認識した空き駐車スペース２３は移動してしまう。このように、画像合成部１０２３が空き駐車スペース２３を認識したときと、認識した空き駐車スペース２３に支援画像２４、２５を表示するときには、タイムラグが発生する。このタイムラグにより、空き駐車スペース２３の位置と、支援画像２４、２５の位置がずれてしまうおそれがある。自車両２２が旋回中であるとき、旋回の中心から遠くに位置するカメラの精度が低下することにより、この表示ずれが大きくなる場合があり、画像合成部１０２３は、支援画像２４、２５を適切な位置に表示することが難しくなる。また、自車両２２が旋回中であるとき、旋回の中心から遠くに位置するカメラの精度が低下することにより、図５に示す路面標示３１と路面標示３２を駐車枠として誤検出するおそれがある。
【００４５】
以上説明したように、自車両２２が旋回中であるとき、センサ情報処理部１０４は、空き駐車スペース２３の状態を誤検出するおそれがあるため、画像合成部１０２３は、空き駐車スペース２３に支援画像２４、２５を表示することを禁止する。これにより、画像合成部１０２３は、誤った情報を乗員に与えることを抑制することができる。なお、図６に示す例では、支援画像２４、２５の表示禁止について説明したが、これに限定されない。例えば、自車両２２が旋回中であるとき、画像合成部１０２３は、図６に示す駐車枠２７の表示を禁止してもよい。
【００４６】
次に、図７を参照して、駐車支援装置の他の動作例を説明する。
【００４７】
図７に示すシーンは、自車両２２が旋回中から直進中に切り替わった直後を示すシーンである。自車両２２が旋回中から直進中に切り替わった直後において、自車両２２の後方に存在する空き駐車スペース２８に対し、画像合成部１０２３は、支援画像２４、２５を表示することを禁止する。空き駐車スペース２８は、自車両２２が旋回中に検出した空き駐車スペースであるため、誤検出の可能性があるからである。一方、自車両２２が直進中に検出した空き駐車スペース２９に対しては、画像合成部１０２３は、支援画像２４、２５を表示する。
【００４８】
上述の動作例では、空き駐車スペースの種類として、推奨駐車スペースと、単に空いている駐車スペースの２つを取り上げて説明したが、空き駐車スペースの種類は、これに限定されない。空き駐車スペースは、乗員が予め入力した駐車条件に合致する空き駐車スペースを含んでもよい。乗員が予め入力した駐車条件に合致する空き駐車スペースを、以下では、単に駐車目標という。空き駐車スペースの種類は、所定条件を満たすか否かに応じて分類できる。例えば、空いているという条件を満たせば、空き駐車スペースとなる。推奨される条件を満たせば、推奨駐車スペースとなる。乗員が予め入力した駐車条件を満たせば、駐車目標となる。自車両２２が駐車目標を検出した場合、画像合成部１０２３は、駐車目標に支援画像を表示するが、このときに表示される支援画像は、支援画像２４や支援画像２５と異なる支援画像が好ましい。もちろん、駐車目標に表示される支援画像は、支援画像２４でもよく支援画像２５でもよい。
【００４９】
上述の動作例では、自車両２２が旋回中であるとき、画像合成部１０２３は、空き駐車スペースに支援画像２４、２５を表示することを禁止したが、これに限定されない。画像合成部１０２３は、空き駐車スペースの種類に応じて支援画像２４、２５を表示することを禁止してもよい。換言すれば、画像合成部１０２３は、空き駐車スペースの種類に応じて支援画像２４、２５を表示してもよい。例えば、自車両２２が旋回中に駐車目標と、単なる空き駐車スペースを検出した場合、画像合成部１０２３は、駐車目標に対して支援画像の表示を禁止し、単なる空き駐車スペースに対して支援画像２４を表示してもよい。駐車目標は、乗員にとって好ましい駐車スペースであるため、画像合成部１０２３は、駐車目標のみに対して支援画像の表示を禁止することにより、誤った情報を乗員に与えることを抑制することができる。また、自車両２２が旋回中に駐車目標と、推奨駐車スペースと、単なる空き駐車スペースを検出した場合、画像合成部１０２３は、駐車目標のみに対して支援画像の表示を禁止し、推奨駐車スペースに対して支援画像２５を表示し、単なる空き駐車スペースに対して支援画像２４を表示してもよい。
【００５０】
次に、図８Ａ及び図８Ｂのフローチャートを参照して、駐車支援装置の一動作例を説明する。
【００５１】
ステップＳ１０１において、センサ情報処理部１０４は、空間認識センサ７から取得した情報に基づいて、空き駐車スペースを探索する。処理はステップＳ１０３に進み、センサ情報処理部１０４が、自車両２２の周囲において、空き駐車スペースを検出した場合（ステップＳ１０３でＹｅｓ）、処理はステップＳ１０５に進む。一方、ステップＳ１０３において、センサ情報処理部１０４が、自車両２２の周囲において、空き駐車スペースを検出しない場合（ステップＳ１０３でＮｏ）、処理は待機する。
【００５２】
ステップＳ１０５において、旋回判定部１０６は、自車両２２が旋回中か否かを判定する。例えば、旋回判定部１０６は、ハンドル角が±１８０度以上のとき、自車両２２は旋回中であると判定する。旋回判定部１０６が、自車両２２は旋回中であると判定した場合（ステップＳ１０５でＹｅｓ）、処理はステップＳ１０７に進み、画像合成部１０２３は、支援画像２４、２５を空き駐車スペース２３に表示しない。その理由は、自車両２２が旋回中であるとき、センサ情報処理部１０４は、空き駐車スペース２３の状態を誤検出するおそれがあるからである。
【００５３】
一方、旋回判定部１０６が、自車両２２は直進中であると判定した場合（ステップＳ１０５でＮｏ）、処理はステップＳ１０９に進み、画像合成部１０２３は、図４に示すように、支援画像２４、２５を空き駐車スペース２３に表示する。これにより、乗員は、空き駐車スペース２３が空いていることを容易に把握することができる。
【００５４】
処理はステップＳ１１５に進み、乗員が入力インターフェース８を介して、所望の空き駐車スペースを選択した場合（ステップＳ１１５でＹｅｓ）、処理はステップＳ１１７に進む。一方、乗員の入力がない場合、処理はステップＳ１０３に戻る。
【００５５】
ステップＳ１１７において、目標駐車枠設定部１０５１は、乗員が選択した空き駐車スペースを目標駐車位置として設定する。また、駐車開始位置設定部１０５２は、駐車方式を決定し、決定した駐車方式に適した駐車開始位置を設定する。なお、このフローチャートでは、駐車方式を後退駐車として説明する。その後、処理は、ステップＳ１１９に進み、駐車経路生成部１０５４は、ステップＳ１１７で設定された駐車開始位置から目標駐車位置までの駐車経路を生成する。次に処理は、ステップＳ１２１に進み、車両制御ＥＣＵ１０は、自動的な駐車制御を開始する。
【００５６】
次に処理は、ステップＳ１２３に進み、自己位置推定部１０５３は、自車両２２がシフト位置を切替える位置に到達したか否かを判定する。自車両２２がシフト位置を切替える位置に到達した場合（ステップＳ１２３でＹｅｓ）、処理は、ステップＳ１２５に進み、車両制御ＥＣＵ１０は、シフト切替制御を実施する。その後、車両制御ＥＣＵ１０は、自動的な駐車制御を継続し、処理はステップＳ１２７に進む。一方、自車両２２がシフト位置を切替える位置に到達していない場合（ステップＳ１２３でＮｏ）、処理は、待機する。ステップＳ１２７において、自己位置推定部１０５３は、自車両２２が目標駐車位置に到達したか否かを判定する。自車両２２が目標駐車位置に到達した場合（ステップＳ１２７でＹｅｓ）、処理はステップＳ１２９に進み、車両制御ＥＣＵ１０は、シフト位置をパーキングにするなどの制御を実施し、自動的な駐車制御は終了する。
【００５７】
（作用効果）
以上説明したように、本実施形態に係る駐車支援装置によれば、以下の作用効果が得られる。
【００５８】
センサ情報処理部１０４が、自車両２２の周囲に空き駐車スペース２３を検出したとき、旋回判定部１０６は、自車両２２が旋回中か否かを判定する。旋回判定部１０６が、自車両２２は旋回中であると判定した場合、画像合成部１０２３は、図６に示すように、俯瞰画像２０における空き駐車スペース２３に、支援画像２４、２５を表示することを禁止する。これにより、センサ情報処理部１０４が、空き駐車スペース２３の状態を誤検出したとしても、駐車支援装置は、誤った情報を乗員に与えることを抑制することができる。
【００５９】
自車両２２が旋回中から直進中に切り替わった場合、空き駐車スペースの位置に、支援画像２４、２５を表示する。誤った情報を乗員に与える可能性が低い状況で、乗員に支援画像を与えることができるため、乗員は、駐車状況を正確に把握することができるようになる。
【００６０】
また、図７に示すように、自車両２２が旋回中から直進中に切り替わった場合、画像合成部１０２３は、切り替わり直後における自車両２２の後方に存在する空き駐車スペース２８に対し、支援画像２４、２５の表示を禁止する。これにより、センサ情報処理部１０４が、空き駐車スペース２８の状態を誤検出したとしても、駐車支援装置は、誤った情報を乗員に与えることを抑制することができる。
【００６１】
また、旋回判定部１０６は、自車両２２の旋回角度が所定値以上のとき、自車両２２は旋回中であると判定する。自車両２２の旋回角度が所定値以上の場合、画像合成部１０２３が支援画像２４、２５の表示を禁止することにより、駐車支援装置は、誤った情報を乗員に与えることを抑制することができる。なお、自車両２２の旋回角度は、ハンドル角を用いてもよく、舵角を用いてもよい。
【００６２】
（その他の実施形態）
上記のように、本発明の実施形態を記載したが、この開示の一部をなす論述及び図面はこの発明を限定するものであると理解すべきではない。この開示から当業者には様々な代替実施の形態、実施例及び運用技術が明らかとなろう。
【００６３】
本実施形態では、自車両２２が旋回中であるとき、画像合成部１０２３は、空き駐車スペース２３に支援画像２４、２５を表示することを禁止したが、例えば、図９に示すように、画像合成部１０２３は、空き駐車スペース２３とは異なる一定の位置に支援画像２６（第２支援画像）を表示してもよい。支援画像２６は、自車両２２の周囲において、空き駐車スペース２３が検出されたことを示す画像である。支援画像２６は、空き駐車スペース２３そのものを示す画像ではないため、支援画像２６は、空き駐車スペース２３とは異なる位置に表示される。支援画像２６が、空き駐車スペース２３とは異なる位置に表示されることによって、乗員は、支援画像２６を確認することにより、空き駐車スペース２３の存在を容易に把握することができる。
【００６４】
また、画像合成部１０２３は、自車両２２が旋回中から直進中に切り替わったとき、支援画像２６を消去する。すでに説明したように、自車両２２が直進中であるときに空き駐車スペースが検出された場合、画像合成部１０２３は、空き駐車スペースに支援画像２４、２５を表示する。このため、自車両２２が直進中であるとき、支援画像２６は不要となる。よって、画像合成部１０２３は、自車両２２が旋回中から直進中に切り替わったとき、支援画像２６を消去する。なお、図９に示す支援画像２６を四角形状で表し、図４に示す支援画像２４、２５を丸い形状で表したが、これに限定されない。支援画像２６と支援画像２４、２５は、区別される形状であれば足りる。なお、画像合成部１０２３は、支援画像２６を消去する代わりに、支援画像２６の色を薄くしてもよい（例えば、グレー）。
【００６５】
また、旋回判定部１０６は、ハンドル角と速度とに応じて、自車両２２が旋回中であるか否かを判定してもよい。例えば、旋回判定部１０６は、ハンドル角が±１８０度以上であり、かつ自車両２２の速度が３ｋｍ／ｈ以上の場合、自車両２２が旋回中であると判定してもよい。このように、自車両２２のハンドル角が所定値以上、かつ自車両２２の速度が所定値（第２所定値）以上の場合に、画像合成部１０２３が支援画像２４、２５の表示を禁止することにより、駐車支援装置は、誤った情報を乗員に与えることを抑制することができる。また、旋回判定部１０６は、ハンドル角が±１８０度以上であっても、自車両２２の速度が３ｋｍ／ｈ未満の場合は、自車両２２は旋回中ではないと判定してもよい。また、旋回判定部１０６は、ハンドル角が±１８０度未満であるとき、自車両２２の速度に関わらず、自車両２２は旋回中ではないと判定してもよい。なお、±１８０度、３ｋｍ／ｈという数値は、あくまで一例であり、これに限定されず、適宜変更可能である。
【００６６】
なお、本実施形態において、センサ情報処理部１０４が空き駐車スペースを探索する際の運転モードは、乗員による手動運転でもよく、自動運転でもよい。
【符号の説明】
【００６７】
１  コントローラ
２ａ〜２ｄ  カメラ
３  舵角センサ
４  ハンドル角センサ
６  車輪速センサ
７  空間認識センサ
８  入力インターフェース
９  表示部
１１  アクチュエータ
１０１  周辺画像生成部
１０２  画像表示回路
１０３  アイコン記憶部
１０４  センサ情報処理部
１０５  駐車支援演算部
１０６  旋回判定部
１０２１  支援画像生成部
１０２２  表示切替制御部
１０２３  画像合成部
【図１】
2019008760.tif 000003
【図２】
2019008760.tif 000004
【図３】
2019008760.tif 000005
【図４】
2019008760.tif 000006
【図５】
2019008760.tif 000007
【図６】
2019008760.tif 000008
【図７】
2019008760.tif 000009
【図８Ａ】
2019008760.tif 000010
【図８Ｂ】
2019008760.tif 000011
【図９】
2019008760.tif 000012
【国際調査報告】
2019008760.tif 000013
2019008760.tif 000014
2019008760.tif 000015
2019008760.tif 000016